(57)【要約】      （修正有）【課題】内容物を簡略操作にて全量吐出でき、廃棄物の削減を実現して環境保全に寄与でき、更に小容量から大容量までの各種容器サイズに広範に適用できる流動物等の多用途収納容器を提供する。【解決手段】多用途収納容器１は、筒状胴部４の上部に広口開口ネジ筒部５を有し、筒状胴部４のテーパー状に縮径する下部に設けた吐出側突出ネジ筒部７に、内容物２の通過孔１１と、内容物２のノズル部１２と、ノズル部１２の下方側を開閉可能に取り付けた閉塞用キャップ１３と、閉塞用キャップ１３の開時に内容物２の流出を阻止する方向に付勢されて通過孔１１に圧接し、閉塞用キャップ１３の開時に圧迫操作力によって内容物２の通過孔１１からノズル部１２を経ての吐出を可能とする逆止弁機構部１６とを有する吐出用ネジ筒部９を螺着した容器本体３と、上蓋部２３と、上端に外気導入孔２５を有し、かつ、外気導入切欠部３２を有するネジを設けた外気導入ネジ筒部２４と、その内部に設けた外気浸入阻止用逆止弁機構部２６と、上蓋部２３の端縁から突設した円筒状外周部２２を具備し、広口開口ネジ筒部５に螺着する広口キャップ体２１と、広口キャップ体２１のネジに螺着するネジを備えた気密保持蓋体４１とを有する。【選択図】図１
0003140080.tif 000002
【実用新案登録請求の範囲】
【請求項１】
筒状胴部の上部に広口開口を設けた広口開口ネジ筒部を有するとともに、該筒状胴部のテーパー状に縮径する下部に設けた吐出側突出ネジ筒部に、流動物等の内容物の通過孔と、内容物のノズル部と、ノズル部の下方側を開閉可能に取り付けた閉塞用キャップと、閉塞用キャップの開時に前記内容物の流出を阻止する方向に付勢されて通過孔に圧接し、閉塞用キャップの開時に圧迫操作力によって前記内容物の通過孔からノズル部を経ての吐出を可能とする逆止弁機構部とを有する吐出用ネジ筒部を螺着した容器本体と、
上蓋部と、この上蓋部の中央を占めるとともに上端に外気導入孔を有し、外気導入切欠部を有するネジを設けた外気導入ネジ筒部と、この外気導入ネジ筒部内に設けた外気浸入阻止用逆止弁機構部と、前記上蓋部の端縁から突設した円筒状外周部を具備し、前記広口開口ネジ筒部に螺着する広口キャップ体と、
前記広口キャップ体のネジに螺着するネジを備えた気密保持蓋体と、
を有することを特徴とする流動物等の多用途収納容器。
【請求項２】
筒状胴部の上部に広口開口を設けた広口開口ネジ筒部を有するとともに、該筒状胴部のテーパー状に縮径する下部に設けた吐出側突出ネジ筒部に、流動物等の内容物の通過孔と、円環状に形成した内容物のノズル部と、ノズル部の下方側を開閉可能に取り付けた閉塞用キャップと、閉塞用キャップの開時に前記内容物の流出を阻止する方向に付勢されて通過孔に圧接し、閉塞用キャップの開時に圧迫操作力によって前記内容物の通過孔からノズル部を経ての吐出を可能とするボールバルブ及びバネを用いた逆止弁機構部とを有する吐出用ネジ筒部を螺着した容器本体と、
内面を外周側ほど下降する傾斜形状とした上蓋部と、該上蓋部の中央を占めるとともに上端に外気導入孔を有し、外気導入切欠部を有するネジを設けた外気導入ネジ筒部と、この外気導入ネジ筒部内に設けた前記外気導入孔からの外気の流入に抗する方向に付勢されたボールバルブ及びバネを用いた外気浸入阻止用逆止弁機構部と、前記上蓋部の端縁から突設した円筒状外周部を具備し、前記広口開口ネジ筒部に螺着する広口キャップ体と、
前記広口キャップ体のネジに螺着するネジを備えた気密保持蓋体と、
前記容器本体の下端部側を嵌装する状態でこの容器本体を載置するとともに、底面側に前記広口キャップ体を嵌装可能な凹陥部を設けた載置筒体と、
を有することを特徴とする流動物等の多用途収納容器。
【請求項３】
筒状胴部の上部に広口開口を設けた広口開口ネジ筒部を有するとともに、該筒状胴部のテーパー状に縮径する下部に設けた吐出側突出ネジ筒部に、流動物等の内容物の通過孔と、通過孔の下方側を開閉可能に取り付けた閉塞用キャップと、閉塞用キャップの開時に前記内容物の流出を阻止する方向に付勢されて通過孔に圧接し、閉塞用キャップの開時に圧迫操作力によって前記内容物の通過孔からノズル部を経ての吐出を可能とするボールバルブ及びノズル部を兼ねる内容物吐出用の隙間を有する円板状押しバネを用いた逆止弁機構部と、を有する吐出用ネジ筒部を螺着した容器本体と、
内面を外周側ほど下降する傾斜形状とした上蓋部と、該上蓋部の中央を占めるとともに上端に外気導入孔を有し、外気導入切欠部を有するネジを設けた外気導入ネジ筒部と、この外気導入ネジ筒部内に設けた前記外気導入孔からの外気の流入に抗する方向に付勢されたボールバルブ及びバネを用いた外気浸入阻止用逆止弁機構部と、前記上蓋部の端縁から突設した円筒状外周部を具備し、前記広口開口ネジ筒部に螺着する広口キャップ体と、
前記広口キャップ体のネジに螺着するネジを備えた気密保持蓋体と、
前記容器本体の下端部側を嵌装する状態でこの容器本体を載置するとともに、底面側に前記広口キャップ体を嵌装可能な凹陥部を設けた載置筒体と、
を有することを特徴とする流動物等の多用途収納容器。
【請求項４】
筒状胴部の上部に広口開口を設けた広口開口ネジ筒部を有するとともに、該筒状胴部のテーパー状に縮径する下部に設けた吐出側突出ネジ筒部に、流動物等の内容物の通過孔と、ボールバルブ及びバネを用いた外気浸入阻止用逆止弁機構部と、円板状で十字穴を有するノズル部と、ノズル部の下方側を開閉可能に取り付けた閉塞用キャップと、閉塞用キャップの開時に前記内容物の流出を阻止する方向に付勢されて通過孔に圧接し、閉塞用キャップの開時に圧迫操作力によって前記内容物の通過孔からノズル部を経ての吐出を可能とするボールバルブ及びバネを用いた逆止弁機構部とを有する吐出用ネジ筒部を螺着した容器本体と、
内面を外周側ほど下降する傾斜形状とした上蓋部と、該上蓋部の中央を占めるとともに上端に外気導入孔を有し、外気導入切欠部を有するネジを設けた外気導入ネジ筒部と、この外気導入ネジ筒部内に設けた前記外気導入孔からの外気の流入に抗する方向に付勢されたボールバルブ及びバネを用いた外気浸入阻止用逆止弁機構部と、前記上蓋部の端縁から突設した円筒状外周部を具備し、前記広口開口ネジ筒部に螺着する広口キャップ体と、
前記広口キャップ体のネジに螺着するネジを備えた気密保持蓋体と、
前記容器本体の下端部側を嵌装する状態でこの容器本体を載置するとともに、底面側に前記広口キャップ体を嵌装可能な凹陥部を設けた載置筒体と、
を有することを特徴とする流動物等の多用途収納容器。
【請求項５】
筒状胴部の上部に開口を設けた開口ネジ筒部を有するとともに、該筒状胴部のテーパー状に縮径する下部に設けた吐出側突出ネジ筒部に、流動物等の内容物の通過孔と、内容物のノズル部と、ノズル部の下方側を開閉可能に取り付けられ、かつ、起立用の底板部を兼ねるテーパー状に縮径した下端部より大径の閉塞用キャップと、閉塞用キャップの開時に前記内容物の流出を阻止する方向に付勢されて通過孔に圧接し、閉塞用キャップの開時に圧迫操作力によって前記内容物の通過孔からノズル部を経ての吐出を可能とするボールバルブ及びバネを用いた逆止弁機構部とを有する吐出用ネジ筒部を螺着した容器本体と、
上端に外気導入孔を有し、この外気導入切欠部を有するネジを設けた外気導入ネジ筒部と、前記容器本体の開口ネジ筒部に螺着するネジ筒部と、このネジ筒部内に設けた前記外気導入孔からの外気の流入に抗する方向に付勢されたボールバルブ及びバネを用いた外気浸入阻止用逆止弁機構部と、を具備するキャップ体と、
前記キャップ体のネジに螺着するネジを備えた気密保持蓋体と、
を有することを特徴とする流動物等の多用途収納容器。
【考案の詳細な説明】
【技術分野】
【０００１】
本考案は、流動物等の多用途収納容器に関し、詳しくは、例えば（自家製等の）マヨネーズ、醤油、ソース、シャンプー、リンス、ソープ、家庭用洗剤、工業石鹸等の流動物を最後まで吐出使用でき、簡易に片手でも使用できるようにした流動物等の多用途収納容器に関するものである。
【背景技術】
【０００２】
従来から使用されている流動物等の保存容器、例えばマヨネーズのような流動物を保存するチューブ状の容器においては、開封後、約半分量を使用するまでは何等支障なくマヨネーズを吐出できるが、半分量以下に減ってきた場合には、容器内に空気を吹き込むか容器を揉む等して、この容器内に空気を流入させ、容器を倒立状態として吐出口へのマヨネーズの沈殿現象を不安定に保ってしばらく待つことが必要となる。
【０００３】
しかし、例えば冷蔵庫内で保存中に容器が誤って転倒していたような場合、実際に食すべき野菜類等にマヨネーズを付けようとする際に容器側壁に付着したマヨネーズを吐出口に移動させることは容易ではなく、野菜類等に対し速やかにマヨネーズを付けることが難しいのが現状である。
【０００４】
また、上述したチューブ状の容器の場合、マヨネーズ等を容器内に残留させず最後まで使い切ることが、廃棄物の焼却問題の点で望ましいことである。
【０００５】
食品メーカーが製造した容器の外装フィルム等には、内容物が少量になった場合の方法として内部への空気流入を消費者に促す記載がされているものも存在する。この場合、最後まで内容物を絞り出し、口元をハサミ等で切ってまで使い尽くすためには容器内への数度の空気入れ替えが必要となり、極めて煩雑である。
【０００６】
特許文献１には、マヨネーズ等を収納する調味料容器の吐出口に着脱自在に装着するキャップ本体に形成したキャップ螺合部と、キャップ螺合部に連続形成するとともに、調味料容器内に吐出口から空気を送り込むようにした空気取入部と、この空気取入部に取り付けた外部からの空気を導入するための逆止弁とを備えた調味料容器の加圧器具が開示されている。
【０００７】
この調味料容器の加圧器具の場合、相当使い慣れないと空気の入れ過ぎをしたときには空気だけは出ない代わりに内容物がネジを緩めた瞬間にネジ山と逆止弁に付着し洗浄、再使用に難儀が生じる。
【０００８】
特許文献２には、マヨネーズ等を収納する容器の本体に、通気穴を設け、この通気穴の下部に逆止弁を配置し、更に、吐出口に大型のキャップを設けた粘性物容器が開示されている。
【０００９】
この粘性物容器の場合、吐出口の開口が広径であるため、内容物の残量が減ってくれば上述した既存の容器と同様な問題が生じる。
【００１０】
特許文献３には、入れ物の出し口に逆流を止める弁を設け、底に空気を取り入れ逆流を止める弁を設け、底の部分の縁に中身を押し出す柔らかいプラスチック製袋を設けることにより構成した逆止めの付いたプラスチック製の入れ物が開示されている。
【００１１】
この入れ物の場合、プラスチック製の入れ物が内容物の容器本体となり、容器本体の復元力利用であり、一種の圧力隔壁的要素であるが、長時間の自重に二つの逆流を止める弁が気密を保てるか否か疑問が生じる。また、衛生面では優れていると思われるが内容物の終わり際にしわだらけとなり内容物を完全に出し尽くせない。
【特許文献１】特開２００４−７５１６９号公報
【特許文献２】特開平８−１１９２９８号公報
【特許文献３】特開２００２−３３２０９０号公報
【考案の開示】
【考案が解決しようとする課題】
【００１２】
本考案が解決しようとする問題点は、内容物を簡略操作にて全量吐出でき、廃棄物の削減を実現して環境保全に寄与でき、更に小容量から大容量までの各種容器サイズに広範に適用できる流動物等の多用途収納容器が存在しない点である。
【課題を解決するための手段】
【００１３】
本考案の流動物等の多用途収納容器は、筒状胴部の上部に広口開口を設けた広口開口ネジ筒部を有するとともに、筒状胴部のテーパー状に縮径する下部に設けた吐出側突出ネジ筒部に、流動物等の内容物の通過孔と、内容物のノズル部と、ノズル部の下方側を開閉可能に取り付けた閉塞用キャップと、閉塞用キャップの開時に前記内容物の流出を阻止する方向に付勢されて通過孔に圧接し、閉塞用キャップの開時に圧迫操作力によって前記内容物の通過孔からノズル部を経ての吐出を可能とする逆止弁機構部とを有する吐出用ネジ筒部を螺着した容器本体と、上蓋部と、この上蓋部の中央を占めるとともに上端に外気導入孔を有し、外気導入切欠部を有するネジを設けた外気導入ネジ筒部と、この外気導入ネジ筒部内に設けた外気浸入阻止用逆止弁機構部と、前記上蓋部の端縁から突設した円筒状外周部を具備し、前記広口開口ネジ筒部に螺着する広口キャップ体と、前記広口キャップ体のネジに螺着するネジを備えた気密保持蓋体と、を有することを最も主要な特徴とする。
【考案の効果】
【００１４】
請求項１記載の考案によれば、極めて簡略な操作、例えば片手のみの操作で、容器本体内のマヨネーズ等の内容物を最後まで完全に吐出させることが可能であり、廃棄物の削減を実現して環境保全に寄与でき、更に小容量から大容量までの各種容器サイズに広範に適用できる流動物等の多用途収納容器を提供することができる。
【００１５】
請求項２記載の考案によれば、請求項１記載の考案と同様な効果を奏するとともに、上蓋部の内面に内容物が付着した場合でも、その傾斜により内容物が容器本体内に落下しやすく、内容物の付着残りを回避でき、更に、載置筒体を用いることによって複数の多用途収納容器を重ね置くことができ、倉庫内保管時、陳列時の省スペース化等の便宜を図ることができる流動物等の多用途収納容器を提供することができる。
【００１６】
請求項３記載の考案によれば、容器本体に内容物吐出用の隙間を有する円板状押しバネを用いた逆止弁機構部を備えた構成で、請求項２記載の考案と同様な効果を奏する流動物等の多用途収納容器を提供することができる。
【００１７】
請求項４記載の考案によれば、請求項２記載の考案と同様な効果を奏するとともに、容器本体に円板状で十字穴を有するノズル部を備えた構成で、生クリーム、バタークリーム等の流動食品の収納、全量吐出にも対応できる流動物等の多用途収納容器を提供することができる。
【００１８】
請求項５記載の考案によれば、請求項１記載の考案とほぼ同様な効果を奏するとともに、特に前記容器本体の底部に設けた吐出用ネジ筒部における閉塞用キャップを閉じた状態において、床面上等に容器本体を起立状態で保持することができる流動物等の多用途収納容器を提供することができる。
【考案を実施するための最良の形態】
【００１９】
本考案は、内容物を簡略操作にて全量吐出でき、廃棄物の削減を実現して環境保全に寄与でき、更に小容量から大容量までの各種容器サイズに広範に適用できる流動物等の多用途収納容器を提供するという目的を有するものである。
本考案は、筒状胴部の上部に広口開口を設けた広口開口ネジ筒部を有するとともに、筒状胴部のテーパー状に縮径する下部に設けた吐出側突出ネジ筒部に、流動物等の内容物の通過孔と、円環状に形成した内容物のノズル部と、ノズル部の下方側を開閉可能に取り付けた閉塞用キャップと、閉塞用キャップの開時に前記内容物の流出を阻止する方向に付勢されて通過孔に圧接し、閉塞用キャップの開時に圧迫操作力によって前記内容物の通過孔からノズル部を経ての吐出を可能とするボールバルブ及びバネを用いた逆止弁機構部とを有する吐出用ネジ筒部を螺着した容器本体と、内面を外周側ほど下降する傾斜形状とした上蓋部と、この上蓋部の中央を占めるとともに上端に外気導入孔を有し、外気導入切欠部を有するネジを設けた外気導入ネジ筒部と、この外気導入ネジ筒部内に設けた前記外気導入孔からの外気の流入に抗する方向に付勢されたボールバルブ及びバネを用いた外気浸入阻止用逆止弁機構部と、前記上蓋部の端縁から突設した円筒状外周部を具備し、前記広口開口ネジ筒部に螺着する広口キャップ体と、前記広口キャップ体のネジに螺着するネジを備えた気密保持蓋体と、前記容器本体の下端部側を嵌装する状態でこの容器本体を載置するとともに、底面側に前記広口キャップ体を嵌装可能な凹陥部を設けた載置筒体と、を有する構成により上記目的を実現した。
【実施例】
【００２０】
以下に、本考案の実施例に係る流動物等の多用途収納容器について図面を参照して詳細に説明する。
【００２１】
（実施例１）
本実施例１に係る流動物等の多用途収納容器１は、図１に示すように、例えば自家製マヨネーズ、醤油、ソース、シャンプー、リンス、ソープ、家庭用洗剤、工業石鹸等から選ばれる流動物からなる内容物２を内部に収納する全体としてほぼ筒状の容器本体３と、この容器本体３の上部に螺着する広口キャップ体２１と、広口キャップ体２１の上端に螺着する気密保持蓋体４１と、前記容器本体３を載置するほぼ筒状の載置筒体５１と、を有している。
【００２２】
前記容器本体３は、例えば円筒状に形成した筒状胴部４と、この筒状胴部４の上部４ａに一体に設けた広口開口５ａを有する前記筒状胴部４の外径より小径とし外周に雄ネジ６を設けた広口開口ネジ筒部５と、前記筒状胴部４のテーパー状に縮径する下部側に形成した内周に雌ネジ８を設けた吐出側突出ネジ筒部７と、を有している。
【００２３】
前記吐出側突出ネジ筒部７には、ほぼ円筒状の吐出用ネジ筒部９の外周に設けた雄ネジ１０を螺着し、前記容器本体３の下端部を塞ぐように構成している。前記吐出用ネジ筒部９の外周に雄ネジ１０を設けた本実施例１の構成は斬新であり、この構成により、前記筒状胴部４のテーパー状に縮径する下部側及び後述の逆止弁機構部１６の加工が容易であるとともに、テーパー状に縮径する下部側内面においてスロープ現象が発生して内容物２の流動が良好になり、内容物２の固着が無くなり内容物２の全量吐出を容易に実現できる。
【００２４】
前記吐出用ネジ筒部９は、その中央部上側に設けた内容物２を下方に通過させるための通過孔１１と、中央部下側に嵌着した円環状で吐出孔１２ａを有するノズル部１２と、図３にも示すように、ノズル部１２の下方側において吐出用ネジ筒部９の下端に矢印方向に回動可能に取り付けられ、前記ノズル部１２を開閉するほぼ円板状の閉塞用キャップ１３と、前記通過孔１１とノズル部１２との間に介在させ、通過孔１１に圧接させるボールバルブ１４及びバネ１５を用いた逆止弁機構部１６と、を具備している。
【００２５】
なお、逆止弁機構部１６としては、ボールバルブ１４及びバネ１５を用いる他、種々の逆止機構を採用することも可能である。
【００２６】
前記筒状胴部４における上部４ａの肉厚は、反発復元力を若干必要とする程度に設定する。また、前記筒状胴部４の中央部４ｂの肉厚は、内容物２を容器本体３内に満量に入れた状態で取扱者が手で持ち上げた際の握力程度では変形しないような厚さ（例えば１乃至１．５ｍｍ程度）に設定する。
【００２７】
前記広口キャップ体２１は、図１に示すように、円筒状外周部２２、上蓋部２３及びこの上蓋部２３の中央を占めるとともに、上端に外気導入孔２５を有する外気導入ネジ筒部２４を一体成形し、前記外気導入ネジ筒部２４内に外気浸入阻止用逆止弁機構部２６を内装することにより構成し、前記容器本体３の上部に螺着するようにしている。
【００２８】
すなわち、前記広口キャップ体２１は、前記円筒状外周部２２の内周に設けた雌ネジ２７を前記広口開口ネジ筒部５の雄ネジ６に螺合することで広口キャップ体２１の上部に着脱可能に取り付けるようになっている。前記上蓋部２３の内面側は、平坦ではなく中央から外周側に至るにしたがい下降する傾斜形状としている。
【００２９】
これにより、例えばマヨネーズ等の内容物２をレードル等を使用して前記容器本体３内に充填した場合に、容器本体３から溢れた場合でも前記広口キャップ体２１を閉じても上蓋部２３の内面に付着した内容物２がその傾斜により容器本体３内に落下しやすいようにしている。
【００３０】
前記外気導入ネジ筒部２４は、その内部にバネ（例えばコイルバネ）２８と、このバネ２８により前記外気導入孔２５からの外気の流入に抗する方向に付勢され外気導入孔２５に下方から圧接するボールバルブ２９とを有する外気浸入阻止用逆止弁機構部２６を内装している。
なお、外気浸入阻止用逆止弁機構部２６としては、ボールバルブ２９及びバネ２８を用いる他、種々の逆止機構を採用することも可能である。
【００３１】
また、前記外気導入ネジ筒部２４の外周には、図２にも示すように、小幅（例えば２ｍｍ幅）の外気導入切欠部３２を有する雄ネジ３１を設けている。前記外気導入ネジ筒部２４の外周に設けた外気導入切欠部３２は、前記気密保持蓋体４１を外気導入ネジ筒部２４から外した状態において、前記容器本体３に対する吐出握力の解放によって生じる負圧により前記ボールバルブ２９が開くと同時に外気導入路として機能する。
【００３２】
前記気密保持蓋体４１は、上端が閉塞し下端が開口した円筒状に形成され、その内周部に前記雄ネジ３１に螺合する雌ネジ４２を設け、前記外気導入ネジ筒部２４の外周に例えば１回転半程度のねじ込みで密に結合し、前記外気導入ネジ筒部２４を密閉状態で閉塞して内容物２の逸失を防止するようになっている。
【００３３】
前記容器本体３は、逆止弁機構部１６を備えているため、通常では内容物２の漏れ現象は生じないが、例えばドレッシング等水油混合の内容物２において分離現象が観られた場合に容器本体３を強くシェイクするような際に前記気密保持蓋体４１を閉じての使用が内容物２の漏れを防止する上で極めて有効である。
【００３４】
前記載置筒体５１は、全体として円筒状に形成され、その上部に前記容器本体３の下端部側が嵌装可能な受凹部５２を、底面側に前記広口キャップ体２１を嵌装可能な凹陥部５３を設けて、容器本体３の下部側を受凹部５２に入ることでこの容器本体３を安定した状態で保持するとともに、前記凹陥部５３に対して別の多用途収納容器１における広口キャップ体２１の円筒状外周部２２を嵌装することで、複数の多用途収納容器１を上下重ね置き可能な構成としている。
【００３５】
すなわち、前記凹陥部５３の内径を前記広口キャップ体２１の円形外周部２２の外径よりも僅かに大きく設定している。
【００３６】
これにより、複数の多用途収納容器１の例えば倉庫内保管時、陳列時の省スペース化等の便宜を実現している。
【００３７】
図４、図５は、本実施例１の逆止弁機構部１６の変形例である逆止弁機構部１６Ａを示すものであり、前記吐出用ネジ筒部９の通過孔１１の下側に、前記ボールバルブ１４及び内容物吐出用の隙間１８を有する円板状押しバネ１７を配置することにより構成している。
【００３８】
図６、図７は、本実施例１のノズル部１２の変形例である円板状で十字穴１９を有するノズル部１２Ｂを示すものであり、例えば洋菓子製造業者が製造した生クリーム、バタークリーム等の流動食品等が内容物２である場合に、このノズル部１２Ａを前記通過孔１１の下側に装着して使用する交換用である。
【００３９】
本実施例１の流動物等の多用途収納容器１によれば、以下の作用効果を奏する。
【００４０】
この流動物等の多用途収納容器１に内容物２を収納しておき、吐出口キャップ６を開いた状態で操作者が筒状胴部４における反発復元力を若干必要とする程度に設定した上部４ａを握り圧迫力を加えると、この圧迫力により発生する排圧で前記逆止弁機構部１６のバネ１５が圧縮され、ボールバルブ１４が通過孔１１の下面から離れて内容物２のノズル部１２からの吐出が始まり、目的箇所に内容物２が添加される。
【００４１】
この段階で、圧迫力を解除するとともに前記外気導入ネジ筒部２４を閉塞している気密保持蓋体４１を緩めることで、外気導入ネジ筒部２４に設けた外気導入切欠部３２から負圧状態になっている容器本体３内に内容物２の吐出体積に相当する分の空気が流入し、これにより、容器本体３は直ちに当初の状態に復元する。
【００４２】
この結果、前記逆止弁機構部１６のバネ１５は圧縮から解放されてボールバルブ１４を通過孔１１の下面に圧接する状態となり、内容物２のノズル部１２からの吐出は終了となる。
【００４３】
この状態では、容器本体３内と大気圧とによる自然対流は無くなるが前記気密保持蓋体４１を外気導入ネジ筒部２４に締め付ければ万全となる。
【００４４】
このようにして、本実施例１の流動物等の多用途収納容器１によれば、極めて簡略な操作、例えば片手のみの操作で、容器本体３内のマヨネーズ等の内容物２を最後まで完全に吐出させることが可能となる。
【００４５】
また、本実施例１の多用途収納容器１によれば、前記吐出用ネジ筒部９の外周に雄ネジ１０を設けているので、前記筒状胴部４のテーパー状に縮径する下部側及び後述の逆止弁機構部１６の加工が容易であり、また、テーパー状に縮径する下部側における内容物２の流動が良好になり、内容物２の固着が無くなりこの点からも内容物２の全量吐出を容易に実現できる。
【００４６】
更に、本実施例１の多用途収納容器１によれば、前記上蓋部２３の内面に内容物２が付着した場合でも、その傾斜により内容物２が容器本体３内に落下しやすいので、内容物２の付着残りを回避できる。
【００４７】
また、前記気密保持蓋体４１は、１回転半程度のねじ込みで外気導入ネジ筒部２４の外周に密に結合し、密閉状態で閉塞して内容物２の逸失を防止するように構成しているので、施蓋、開蓋操作が簡略であるとともに、例えば内容物２がシャンプー、リンス等の場合に浴場等での使用に際してシャワー水等の容器本体３内への侵入を防ぐ機能を発揮する。
【００４８】
本実施例１の多用途収納容器１によれば、載置筒体５１を使用し、複数の多用途収納容器１を上下に重ね置くことにより、複数の多用途収納容器１の例えば倉庫内保管時、陳列時の省スペース化等の便宜を図ることができる。
【００４９】
更に、本実施例１の多用途収納容器１において、図６、図７に示すような交換用のノズル部１２Ｂを適宜採用すれば、内容物２が生クリーム、バタークリーム等の流動食品等である場合にも、好適な吐出状態を得ることができる多用途収納容器１とすることができる。
【００５０】
本実施例１の多用途収納容器１は、小容量容器、中容量容器、大容量容器の別を問わず広範なサイズとして各々上述したような種々の優れた効果を奏するものである。
【００５１】
（実施例２）
次に、図８、図９を参照して本考案の実施例２に係る流動物等の多用途収納容器１Ａについて説明する。
【００５２】
なお、図８、図９に示す実施例２に係る流動物等の多用途収納容器１Ａにおいて、図１乃至図３に示す実施例１の多用途収納容器１の場合と同一の要素には同一の符号を付して示す。
【００５３】
本実施例２に係る流動物等の多用途収納容器１Ａは、基本的構成は実施例１の多用途収納容器１の場合とほぼ同様であるが、前記載置筒体５１を省略するとともに、容器本体２において、前記吐出用ネジ筒部９に替えて床面上等に容器本体３を起立状態で保持する吐出用ネジ筒部６１を容器本体３の底部に設けたこと、前記広口開口ネジ筒部５に替えてこれよりも小径の開口ネジ筒部８１を設けたこと、広口キャップ体２１に替えて開口ネジ筒部８１に対応させた形状、寸法のキャップ体９１を設けたことが特徴である。
【００５４】
更に、詳述すると、本実施例２に係る流動物等の多用途収納容器１Ａにおける吐出用ネジ筒部６１は、図８に示すように、前記容器本体３の底部に設けた雌ネジ孔６２に螺合させる雄ネジ６３を外周に設け、かつ、下端部に雄ネジ６３よりも側方に突出する鍔部６４を設け、更に中央部に内容物２の通過孔６６を設けることにより構成している。
【００５５】
前記吐出用ネジ筒部６１における通過孔６６の下側には、ボールバルブ６８及びバネ６９を用いた逆止弁機構部６７と、前記吐出用ネジ筒部６１の底面に取り付けた内容物２を吐出させるノズル部７０とを配置している。
【００５６】
更に、前記吐出用ネジ筒部６１は、前記鍔部６４の外周部に、図９に示す矢印方向に開閉可能に起立用の底板部を兼ねる閉塞用キャップ７１を取り付けている。
【００５７】
この閉塞用キャップ７１は、容器本体３のテーパー状に縮径した下端部より大径の寸法を有する円板状のキャップ基体７２と、円筒状突出部７３とを有し、キャップ基体７２における前記筒状胴部４のテーパー状に縮径する下部側に対向する領域が円弧状に切欠されていて、その部分がテーパー状に縮径する下部側の周りを囲むようにしてこの下部側に回動するようになっている。
【００５８】
前記閉塞用キャップ７１は、前記ノズル部７０側に回動したときには、円筒状突出部７３に設けたノズル部７０を塞ぐ状態となり、かつ、前記キャップ基体７２が容器本体３を床面上等に起立させる底板部を兼ねるように構成している。
【００５９】
前記開口ネジ筒部８１は、容器本体３の上端中央部から前記広口開口ネジ筒部５よりも小径の寸法で円筒状に突設され、その内周部に雌ネジ８２を設けている。
【００６０】
前記キャップ体９１は、上端に外気導入孔９３を有し、かつ、外気導入切欠部９４を有する雄ネジ９５を設けた外気導入ネジ筒部９２と、前記容器本体２の開口ネジ筒部８１の雌ネジ８２に螺着する雄ネジ９６を外周に設けたネジ筒部９７と、このネジ筒部９７内に設けた前記外気導入孔９３からの外気の流入に抗する方向に付勢されたボールバルブ９８及びバネ９９を用いた外気浸入阻止用逆止弁機構部１００とを具備している。
【００６１】
本実施例２に係る流動物等の多用途収納容器１Ａは、更に、前記実施例１の場合と同様な構成からなる気密保持蓋体４１を具備している。
【００６２】
本実施例２に係る流動物等の多用途収納容器１Ａによれば、特に前記容器本体３の底部に設けた吐出用ネジ筒部６１における閉塞用キャップ７１を閉じた状態において、床面上等に容器本体３を起立状態で保持することができる利点がある。
【００６３】
また、本実施例２に係る流動物等の多用途収納容器１Ａによれば、実施例１の場合とほぼ同様な構成としているので、極めて簡略な操作、例えば片手のみの操作で、容器本体３内のマヨネーズ等の内容物２を最後まで完全に吐出させることが可能となる。
【００６４】
また、本実施例２の多用途収納容器１Ａによれば、実施例１の場合と同様、前記筒状胴部４のテーパー状に縮径する下部側及び逆止弁機構部１６の加工が容易であり、また、テーパー状に縮径する下部側における内容物２の流動が良好になり、内容物２の固着が無くなりこの点からも内容物２の全量吐出を容易に実現できる。
【産業上の利用可能性】
【００６５】
本考案の多用途収納容器は、マヨネーズ、醤油、ソース、蜂蜜、シャンプー、リンス、ソープ、家庭用洗剤、工業石鹸等の各種流動物用の収納容器としてその容器サイズの大小を問わず広範に適用可能である。
【図面の簡単な説明】
【００６６】
【図１】本考案の実施例に係る流動物等の多用途収納容器の概略断面図である。
【図２】本実施例に係る流動物等の多用途収納容器における外気導入ネジ筒部の部分拡大図である
【図３】本実施例に係る流動物等の多用途収納容器における閉塞用キャップを備える吐出用ネジ筒部の部分断面図である。
【図４】本実施例に係る流動物等の多用途収納容器における吐出用ネジ筒部に設けた逆止弁機構部の変形例を示す部分断面図である。
【図５】本実施例に係る流動物等の多用途収納容器における吐出用ネジ筒部に設けた逆止弁機構部の変形例を構成する円板状押しバネの平面図である。
【図６】本実施例に係る流動物等の多用途収納容器における吐出用ネジ筒部に設けたノズル部の変形例を示す部分断面図である。
【図７】本実施例に係る流動物等の多用途収納容器における吐出用ネジ筒部に設けたノズル部の変形例の概略底面図である。
【図８】本考案の実施例２に係る流動物等の多用途収納容器の概略断面図である。
【図９】本実施例２に係る流動物等の多用途収納容器の吐出用ネジ筒部における閉塞用キャップの開状態を示す部分断面図である。
【符号の説明】
【００６７】
１    多用途収納容器
１Ａ  多用途収納容器
２    内容物
３    容器本体
４    筒状胴部
４ａ  上部
４ｂ  中央部
５    広口開口ネジ筒部
５ａ  広口開口
５ｂ  雄ネジ
６    吐出口キャップ
７    吐出側突出ネジ筒部
７ａ  雌ネジ
９    吐出用ネジ筒部
１０    雄ネジ
１１    通過孔
１２    ノズル部
１２ａ  吐出孔
１２Ｂ  ノズル部
１３    閉塞用キャップ
１４    ボールバルブ
１５    バネ
１６    逆止弁機構部
１６Ａ  逆止弁機構部
１７    円板状押しバネ
１８    隙間
１９    十字穴
２１    広口キャップ体
２２    円筒状外周部
２３    上蓋部
２４    外気導入ネジ筒部
２５    外気導入孔
２６    外気浸入阻止用逆止弁機構部
２７    雌ネジ
２８    バネ
２９    ボールバルブ
３１    雄ネジ
３２    外気導入切欠部
４１    気密保持蓋体
４２    雌ネジ
５１    載置筒体
５２    受凹部
５３    凹陥部
６１    吐出用ネジ筒部
６２    雌ネジ孔
６３    雄ネジ
６４    鍔部
６６    通過孔
６７    逆止弁機構部
６８    ボールバルブ
６９    バネ
７０    ノズル部
７１    閉塞用キャップ
７２    キャップ基体
７３    円筒状突出部
８１    開口ネジ筒部
８２    雌ネジ
９１    キャップ体
９２    外気導入ネジ筒部
９３    外気導入孔
９４    外気導入切欠部
９５    雄ネジ
９６    雄ネジ
９７    ネジ筒部
９８    ボールバルブ
９９    バネ
１００    外気浸入阻止用逆止弁機構部
【図１】
0003140080.tif 000003
【図２】
0003140080.tif 000004
【図３】
0003140080.tif 000005
【図４】
0003140080.tif 000006
【図５】
0003140080.tif 000007
【図６】
0003140080.tif 000008
【図７】
0003140080.tif 000009
【図８】
0003140080.tif 000010
【図９】
0003140080.tif 000011